(57)【要約】【課題】  レンズ交換式デジタルカメラの内部に付着した異物を容易に取り除くことができるクリーニング装置を提供する。【解決手段】レンズ交換式デジタルカメラの内部に付着した異物を除去するクリーニング部材を備えるクリーニング装置２であって、クリーニング部材４を支持する支持部６と、支持部のクリーニング部材の近傍に設けられた照明装置８と、支持部に接続されユーザにより保持される保持部１０とを備える。【選択図】  図１
2008301324.tif 000002
【特許請求の範囲】
【請求項１】
レンズ交換式デジタルカメラの内部に付着した異物を除去するクリーニング部材を備えるクリーニング装置であって、
前記クリーニング部材を支持する支持部と、
前記支持部のクリーニング部材の近傍に設けられた照明装置と、
前記支持部に接続されユーザにより保持される保持部と
を備えることを特徴とするクリーニング装置。
【請求項２】
前記支持部は略矩形状を有し、前記照明装置を前記支持部の少なくとも２つの角部に備えることを特徴とする請求項1記載のクリーニング装置。
【請求項３】
前記照明装置は、それぞれ異なる波長の光を放射することを特徴とする請求項２記載のクリーニング装置。
【請求項４】
レンズ交換式デジタルカメラの内部に付着した異物を除去するクリーニング部材を備えるクリーニング装置であって、
前記クリーニング部材を支持すると共に、二次元平面内における向きが識別可能に構成された支持部と、
前記支持部に接続されユーザにより保持される保持部と
を備えることを特徴とするクリーニング装置。
【請求項５】
前記支持部は略矩形状を有し、照明装置を前記支持部の少なくとも２つの角部に備えることを特徴とする請求項４記載のクリーニング装置。
【請求項６】
前記支持部は、方向識別形状を有することを特徴とする請求項４または請求項５記載のクリーニング装置。
【請求項７】
前記支持部は、非対称な形状を有することを特徴とする請求項６記載のクリーニング装置。
【請求項８】
前記支持部は、略矩形状を有し少なくとも１つの角部が他の角部とは異なる形状であることを特徴とする請求項４乃至請求項７の何れか一項に記載のクリーニング装置。
【請求項９】
前記支持部は、略矩形状を有し隣接する少なくとも２つの角部が他の角部とは異なる形状であることを特徴とする請求項８記載のクリーニング装置。
【請求項１０】
前記隣接する少なくとも２つの角部の形状は、それぞれ異なる形状であることを特徴とする請求項９記載のクリーニング装置。
【請求項１１】
前記支持部は、略矩形状を有し少なくとも１つの辺に方向識別形状を有することを特徴とする請求項４、請求項６及び請求項７の何れか一項に記載のクリーニング装置。
【請求項１２】
請求項１乃至請求項１１の何れか一項に記載のクリーニング装置と、
画像データの表示を行なうモニタ装置と、
撮像部から出力された撮像信号から画像データを生成するレンズ交換式デジタルカメラとを備えるカメラシステムであって、
前記レンズ交換式デジタルカメラは、
前記クリーニング装置により前記撮像部に付着した異物を除去するためのクリーニングモードを設定する第１の設定手段と、
前記第１の設定手段により前記クリーニングモードが設定された場合に、前記クリーニング装置の種類を設定する第２の設定手段と、
前記第２の設定手段により設定されたクリーニング装置の種類に応じた撮像条件の設定を行なう第３の設定手段と、
前記第３の設定手段により設定された撮像条件により前記撮像部において撮像し、撮像信号から生成された画像データを前記モニター装置に対して出力する出力手段と
を備えることを特徴とするカメラシステム。
【請求項１３】
カメラの内部に付着した異物を除去するクリーニング部材を備えるクリーニング装置と、
画像データの表示を行なうモニタ装置と、
撮像部から出力された撮像信号から画像データを生成するレンズ交換式デジタル一眼レフカメラとを備えるカメラシステムであって、
前記レンズ交換式デジタルカメラは、
前記クリーニング装置により前記撮像部に付着した異物を除去するためのクリーニングモードを設定する第１の設定手段と、
前記第１の設定手段により前記クリーニングモードが設定された場合に、前記クリーニング装置の種類を設定する第２の設定手段と、
前記第２の設定手段により設定されたクリーニング装置の種類に応じた撮像条件の設定を行なう第３の設定手段と、
前記第３の設定手段により設定された撮像条件により前記撮像部において撮像し、撮像信号から生成された画像データを前記モニタ装置に対して出力する出力手段と
を備えることを特徴とするカメラシステム。
【請求項１４】
前記レンズ交換式デジタルカメラは、
前記クリーニング装置の種類を認識する認識手段を更に備え、
前記第２の設定手段は、前記認識手段による認識結果に応じた前記クリーニング装置の種類を設定することを特徴とする請求項１２または請求項１３記載のカメラシステム。
【請求項１５】
撮像素子を含む撮像部を備えるレンズ交換式デジタルカメラであって、
前記撮像部に付着した異物をカメラ外部のクリーニング装置を用いて除去する際に設定されるクリーニングモードの設定を行なう第１の設定手段と、
前記第１の設定手段により前記クリーニングモードが設定された場合に、前記クリーニング装置の種類を設定する第２の設定手段と、
前記第２の設定手段により設定されたクリーニング装置の種類に応じた撮像条件の設定を行なう第３の設定手段と、
を備えることを特徴とするレンズ交換式デジタルカメラ。
【発明の詳細な説明】
【技術分野】
【０００１】
本発明は、ＣＣＤ撮像素子等の固体撮像素子を用いたデジタルカメラのクリーニング装置、および該クリーニング装置を用いるカメラシステムに関するものである。
【背景技術】
【０００２】
デジタルカメラ等の撮像装置では、撮影レンズによりＣＣＤ或いはＣＭＯＳ等の撮像素子の表面に被写体像を結像し、これを撮像素子で光電変換することにより画像を生成している。デジタルカメラでは銀塩フィルムに代えて撮像素子を用いているが、光学系やシャッタ機構等は従来の銀塩フィルムカメラの機構が踏襲される場合が多い。ところで、撮像素子表面や、その近傍に配置され撮像素子への塵や埃等の付着を防止する光学ローパスフィルタの表面に異物が付着すると、付着した異物の影が被写体画像に写り込んでしまう。銀塩フィルムカメラにおいて異物がフィルムに付着した場合、付着した撮影コマだけに異物の影響が出るが、デジタルカメラでは、異物が撮像素子表面や光学ローパスフィルタの表面に付着すると、どの撮影コマにも異物が写り込むことになる。
【０００３】
従って、従来のレンズ交換式のデジタルカメラでは、ミラーを光路外に退避させ、かつシャッタを開放状態に維持するクリーニングモードを有するものが存在する。カメラのユーザは、光学ローパスフィルタの表面等に異物が付着した場合には、カメラをクリーニングモードにして、光学ローパスフィルタの表面等に付着した異物を取り除く作業を、棒状部材の先端部に粘着部が設けられたクリーニング装置を使用し手作業で行っていた（例えば、特許文献１〜３参照。）。
【特許文献１】特開２００５−２９２４０４号公報
【特許文献２】特開２００６−１７３６７４号公報
【特許文献３】特開２００５−３１６３９１号公報
【発明の開示】
【発明が解決しようとする課題】
【０００４】
しかしながら、上述のクリーニング装置を用いて、ユーザが光学ローパスフィルタに付着した異物を取り除く作業を行なう場合に、クリーニングの状況、即ち、光学ローパスフィルタのどの位置のクリーニングを行なっているのか、或いは十分なクリーニングが行なえたか等の状況を把握することが困難である。現在、デジタルカメラには、ライブビューモードを有するものが存在するため、デジタルカメラをクリーニングモードにした状態で、ライブビューモードを併用し、クリーニング作業中において撮像素子から出力される撮像信号から画像データを生成し、この画像データをパーソナルコンピュータなどのモニタ装置に送信してライブビュー画像を表示することも考えられるが、このような場合においても、ユーザが目視している撮像部の撮像面とモニタ装置に表示されるライブビュー画像とでは、上下左右が逆になり、クリーニング装置によりクリーニングを行なっている位置を容易に把握することが困難な場合がある。また、デジタルカメラのミラーボックス内には、十分な光を入射させることができない場合があることから、モニタ装置にライブビュー画像を表示した場合にも、十分な明るさでクリーニング装置を表示することができずクリーニング装置の位置が判りづらい場合がある。
【０００５】
本発明の目的は、レンズ交換式デジタルカメラの内部に付着した異物を容易に取り除くことができるクリーニング装置、および、このクリーニング装置を用いたカメラシステムを提供することである。
【課題を解決するための手段】
【０００６】
本発明のクリーニング装置（２）は、レンズ交換式デジタルカメラの内部に付着した異物を除去するクリーニング部材（４）を備えるクリーニング装置であって、前記クリーニング部材を支持する支持部（６）と、前記支持部のクリーニング部材の近傍に設けられた照明装置（８）と、前記支持部に接続されユーザにより保持される保持部（１０）とを備えることを特徴とする。
【０００７】
また、本発明のクリーニング装置（２）は、レンズ交換式デジタル一眼レフカメラの内部に付着した異物を除去するクリーニング部材（４）を備えるクリーニング装置であって、前記クリーニング部材を支持すると共に、二次元平面内における向きが識別可能に構成された支持部（６）と、前記支持部に接続されユーザにより保持される保持部（１０）とを備えることを特徴とする。
【０００８】
また、本発明のカメラシステムは、本発明のクリーニング装置（２）と、画像データの表示を行なうモニタ装置（ＰＣ）と、撮像部から出力された撮像信号から画像データを生成するレンズ交換式デジタルカメラとを備えるカメラシステムであって、前記レンズ交換式デジタル一眼レフカメラは、前記クリーニング装置により前記撮像部に付着した異物を除去するためのクリーニングモードを設定する第１の設定手段と、前記第１の設定手段により前記クリーニングモードが設定された場合に、前記クリーニング装置の種類を設定する第２の設定手段と、前記第２の設定手段により設定されたクリーニング装置の種類に応じた撮像条件の設定を行なう第３の設定手段と、前記第３の設定手段により設定された撮像条件により前記撮像部において撮像し、撮像信号から生成された画像データを前記モニタ装置に対して出力する出力手段とを備えることを特徴とする。
【０００９】
また、本発明のカメラシステムは、カメラの内部に付着した異物を除去するクリーニング部材を備えるクリーニング装置（２）と、画像データの表示を行なうモニタ装置（ＰＣ）と、撮像部から出力された撮像信号から画像データを生成するレンズ交換式デジタルカメラとを備えるカメラシステムであって、前記レンズ交換式デジタルカメラは、前記クリーニング装置により前記撮像部に付着した異物を除去するためのクリーニングモードを設定する第１の設定手段と、前記第１の設定手段により前記クリーニングモードが設定された場合に、前記クリーニング装置の種類を設定する第２の設定手段と、前記第２の設定手段により設定されたクリーニング装置の種類に応じた撮像条件の設定を行なう第３の設定手段と、前記第３の設定手段により設定された撮像条件により前記撮像部において撮像し、撮像信号から生成された画像データを前記モニタ装置に対して出力する出力手段とを備えることを特徴とする。
【００１０】
また、本発明のレンズ交換式デジタルカメラは、撮像素子を含む撮像部を備えるレンズ交換式デジタルカメラであって、前記撮像部に付着した異物をカメラ外部のクリーニング装置を用いて除去する際に設定されるクリーニングモードの設定を行なう第１の設定手段と、前記第１の設定手段により前記クリーニングモードが設定された場合に、前記クリーニング装置の種類を設定する第２の設定手段と、前記第２の設定手段により設定されたクリーニング装置の種類に応じた撮像条件の設定を行なう第３の設定手段とを備えることを特徴とする
【発明の効果】
【００１１】
本発明のクリーニング装置によれば、クリーニング装置の位置及びクリーニング装置がどちらの方向に向いているのかをモニタ装置の表示において容易に把握することができるため、レンズ交換式デジタル一眼レフカメラの内部に付着した異物を容易に取り除くことができる。
【００１２】
また、本発明のカメラシステムによれば、レンズ交換式デジタル一眼レフカメラの撮像部等のクリーニング中のクリーニング装置の位置及びクリーニング装置がどちらの方向に向いているのかを容易に把握することができるようにモニタ装置に表示することができるため、レンズ交換式デジタル一眼レフカメラの撮像部等のクリーニングを容易に行なうことができる。
【００１３】
また、本発明のレンズ交換式デジタルカメラによれば、クリーニング装置の種類に応じてクリーニング時のカメラ側の撮像条件を設定できるので、使用するクリーニング装置に応じた最適なカメラ状態とすることができクリーニング作業性が向上するという効果を奏する。
【発明を実施するための最良の形態】
【００１４】
以下、図面を参照して本発明の実施形態を説明する。図１（ａ）は本発明の第１の実施形態に係るクリーニング装置の側面図であり、図１（ｂ）は本発明の第１の実施形態に係るクリーニング装置のクリーニング部材側（図１（ａ）の矢印A側）から視た図である。クリーニング装置２は、レンズ交換式デジタル一眼レフカメラの内部に付着した塵或いは埃等の異物を除去するものであり、略矩形状の粘着性の部材により構成され異物を付着させて除去するクリーニング部材４と、クリーニング部材４を略矩形状の所定の面により支持する支持部６と、支持部６のクリーニング部材４の近傍（クリーニング装置の先端近傍部分）に設けられた照明装置８と、支持部６に接続されユーザにより保持される棒状の保持部１０を備えている。照明装置８としてはＬＥＤが用いられており、照明装置８は略矩形状を有する支持部６の４つの角部にそれぞれ設けられている。この場合に、４つの照明装置８は、それぞれ異なる波長の光を放射する。
【００１５】
本第１の実施形態に係るクリーニング装置によれば、クリーニング部材４の近傍に照明装置８が設けられているため、レンズ交換式デジタル一眼レフカメラの内部、例えば撮像部に付着した異物を除去する際に、クリーニング作業を行なっているカメラ内を照明することができる。したがって、クリーニング作業中に撮像部から出力される撮像信号を、例えば外部モニタに対して出力し外部モニタに表示する場合に、クリーニング装置を明るく表示することができるため、クリーニング装置によりクリーニングを行なっている部分をユーザが容易に把握しつつクリーニング作業を行なうことができる。また、照明装置８がそれぞれ異なる波長の光を放射するＬＥＤにより構成されていることから、クリーニング作業中のクリーニング装置の位置を外部モニタに表示する際に、クリーニング装置の向きを容易に把握しつつクリーニング作業を行なうことができる。
【００１６】
なお、本第１の実施形態に係るクリーニング装置においては、それぞれ異なる波長の光を放射する照明装置８を略矩形状を有する支持部６の４つの角部に、それぞれ設けているが、それぞれ異なる波長の光を放射する照明装置８を略矩形状を有する支持部６の少なくとも２つの隣接する角部にそれぞれ設けるようにすれば、クリーニング作業中のカメラ内部を外部モニタに表示することにより、クリーニング装置によりクリーニングを行なっている部分及びクリーニング装置の向きを容易に把握しつつクリーニング作業を行なうことができる。
【００１７】
次に、第２の実施形態に係るクリーニング装置の説明を行なう。なお、第２の実施形態に係るクリーニング装置の説明においては、第１の実施形態に係るクリーニング装置と同一の構成の部分の説明は省略し、異なる部分についてのみ説明を行なう。また、第１の実施形態に係るクリーニング装置と同一の構成には、同一の符号を付して説明を行なう。
【００１８】
図２は、本発明の第２の実施形態に係るクリーニング装置２０のクリーニング部材側から視た図である。図２に示すように、クリーニング装置２０の略矩形状を有する支持部６は、二次元平面内における向きが識別可能に構成されている。即ち、支持部６は二次元平面内における向きが識別可能な方向識別形状を有している。ここで支持部６は、方向識別形状として、図２に示すように、略矩形状を有する支持部６の図中左上の角部６ａは角を直線により落とした形状を有し、支持部６の図中右上の角部６ｂは角を所定の曲線により落とした形状を有する。
【００１９】
図２に示すように、支持部６は、図２に示す支持部６の中心を通る一点鎖線Ｘ１を挟んで図の上下で非対称な形状により構成され、支持部６の中心を通る一点鎖線Ｙ１を挟んで図の左右で非対称な形状により構成されているため、クリーニング作業中のカメラ内部を外部モニタに表示することにより、クリーニング装置によりクリーニングを行なっている際のクリーニング装置の向きを容易に把握しつつクリーニング作業を行なうことができる。
【００２０】
また、クリーニング装置２０の支持部６は、角部６ａ及び角部６ａに隣接する角部６ｂが残りの２つの角部とは異なる形状を有しているが、１つの角部が他の角部と異なる形状を有するようにすること、または３つの角部がそれぞれ異なる形状を有することによっても、クリーニング作業中のカメラ内部を外部モニタに表示する際に、クリーニングを行なっているクリーニング装置の向きを容易に把握することができる。
【００２１】
なお、上述の第２の実施形態に係るクリーニング装置の支持部には、照明装置が設けられていないが、図３に示すクリーニング装置２１のように支持部６のクリーニング部材４の近傍に照明装置８を設けるようにしても良い。図３に示すクリーニング装置２１においては、照明装置８を略矩形状を有する支持部６の方向識別形状を有さない２つの角部に設けているが、照明装置８を設ける位置は適宜選択可能である。ここで各照明装置８から異なる波長の光を放射するようにすれば、照明装置によってもクリーニング装置の向きを把握することができるため、更に好ましい。また、照明装置の数は、適宜選択することができるが、少なくとも２つの異なる波長の光を放射する照明装置を設けることにより照明装置によってクリーニング装置の向きを把握することができるため、少なくとも２つの異なる波長の光を放射する照明装置を設けることが好ましい。
【００２２】
次に、第３の実施形態に係るクリーニング装置の説明を行なう。なお、第３の実施形態に係るクリーニング装置の説明においては、第１の実施形態に係るクリーニング装置と同一の構成の部分の説明は省略し、異なる部分についてのみ説明を行なう。また、第１の実施形態に係るクリーニング装置と同一の構成には、同一の符号を付して説明を行なう。
【００２３】
図４は、本発明の第３の実施形態に係るクリーニング装置２２のクリーニング部材側から視た図である。図４に示すように、クリーニング装置２２の略矩形状を有する支持部６は、二次元平面内における向きが識別可能になるように、略矩形状の支持部６の一辺に方向識別形状である切欠き形状６ｃを有している。このように略矩形状の支持部の一辺に方向識別形状を有することにより、クリーニング作業中のカメラ内部を外部モニタに表示する際に、クリーニングを行なっているクリーニング装置の向きを容易に把握することができる。なお、略矩形状の支持部６に設けられる方向識別形状は、支持部の隣接する二辺、支持部の三辺に設けても良い。また、方向識別形状は、図４に示す形状に限定されるものではなく、図５に示すクリーニング装置２３のように半円状の凸部６ｄを設けるようにしても良く、更に半円状の凹部を設けるようにしても良い。なお、上述の各実施形態においては、クリーニング部材として粘着性部材を用いているが、はけ状の部材を用いても良い。
【００２４】
次に、上述の各実施形態に係るクリーニング装置を用いてクリーニング作業を行なうレンズ交換式デジタル一眼レフカメラについて説明する。図６は、上述の各実施形態に係るクリーニング装置を用いてクリーニング作業を行なうレンズ交換式デジタル一眼レフカメラの概略構成を模式的に示す断面図である。この図においては、レンズマウントＬＭに装着される撮影レンズが取外された状態を示している。このデジタル一眼レフカメラＣＭは、１枚の静止画を撮影する１コマ撮影モード、所定の時間間隔で複数枚の静止画を撮影する連続撮影モードの他、リアルタイム画像を表示装置に表示するライブビューモード等の撮影モードを有している。
【００２５】
図６において、デジタル一眼レフカメラＣＭは、カメラボディＣＢ及びカメラボディＣＢの上部に固定されているファインダ部ＦＤを備えている。カメラボディＣＢの内部には、ＣＣＤ或いはＣＭＯＳ等の撮像素子３０ａ及び撮像素子３０ａの前面（撮影レンズ側）に設けられている光学ローパスフィルタ３０ｂ等を有する撮像部３０が取り付けられている。撮像素子３０ａは、撮像面に結像される被写体の像を画像信号に変換して出力する。
【００２６】
また、撮像部３０の前面側には、遮光部材を機械的に駆動して露光時間を調節するためのメカニカルシャッタ３１が設けられている。このメカニカルシャッタ３１は、図示を省略するが、アクチュエータ等を備える駆動装置によって駆動される遮光部材を有し、静止画の撮影のためのレリーズボタンが押下（全押し）されると、予め設定されたシャッタ秒時に相当する時間、撮像部３０の撮像面を開放状態として、図示しない撮影レンズを介した被写体の像が撮像部３０の撮像面に結像される。なお、メカニカルシャッタ３１は、後述のクリーニングモードが設定され撮像部３０のクリーニング作業を行なう場合にも、撮像部３０の撮像面をクリーニングモードがＯＦＦされるまで開放状態とする。
【００２７】
ファインダ部ＦＤは、撮影レンズや後述するミラー部材としてのクイックリターンミラーＲＭ等を介して形成される被写体の光学像を目視観察するための光学式のファインダであり、フォーカシングスクリーン（焦点板）３２、ペンタプリズム３３、測光素子３４、測光光学系３５、接眼部（接眼レンズ）３６等を備えて構成されている。カメラボディＣＢの背面には、撮像部３０に結像される画像を表示可能な画像表示モニタ（液晶パネル）３７が設けられている。従って、被写体の像は、ファインダ部ＦＤの接眼部３６又は画像表示モニタ３７の何れかを介して目視できる。
【００２８】
カメラボディＣＢ内において、撮像部３０の前面側（メカニカルシャッタ３１よりも更に前面側）には、クイックリターンミラーＲＭが回動可能に軸支されている。クイックリターンミラーＲＭのメインミラー３８の裏面側（下側）には、サブミラー３９が設けられている。クイックリターンミラーＲＭは、図６中に点線で示すように、撮像素子３０の撮像面に対して略４５度で撮像素子３０の前面を遮断する、即ち撮影レンズの光路内に配置される位置（ミラーダウン位置）に設定される第１姿勢と、図６において時計方向に回動して撮像素子３０の撮像面に対して略直交（フォーカシングスクリーン３２の下側で略平行）となる、即ち撮影レンズの光路外に配置される位置（ミラーアップ位置）に設定される第２姿勢となるように、選択的に高速動作可能なミラーである。
【００２９】
クイックリターンミラーＲＭの駆動は、不図示の駆動装置により行われる。本実施形態では、クイックリターンミラーＲＭと上述したメカニカルシャッタ３１の駆動は、同一の駆動装置によって行われる。但し、別の駆動装置によりそれぞれ駆動するようにしてもよい。クイックリターンミラーＲＭのメインミラー３８はその一部（中央部近傍）がハーフミラー、その余の部分が全反射ミラーとなっており、クイックリターンミラーＲＭがミラーダウン位置にある状態で、撮影レンズからの光は、その殆どがメインミラー３８によってファインダ部ＦＤ（フォーカシングスクリーン３２）側へ反射され、メインミラー３８のハーフミラー部を透過した一部の光は、サブミラー３９で反射される。サブミラー３９で反射された光は、不図示の光学系を介して、位相差検出式ＡＦ検出素子４０に入射される。
【００３０】
ここで図６では、サブミラー３９は、メインミラー３８に一体的に固定されているように描かれているが、サブミラー３９もその一端（メインミラー３８側の一端）が回動可能に軸支されており、メインミラー３８の動作に連動して回転して、クイックリターンミラーＲＭがミラーダウン位置にあるときには、メインミラー３８のハーフミラーを透過した光を下方へ反射するような姿勢となり、クイックリターンミラーＲＭがミラーアップ位置にあるときには、メインミラー３８とほぼ平行な姿勢となる。クイックリターンミラーＲＭがミラーアップ位置に切り換えられると、撮影レンズからの光は上述したメカニカルシャッタ３１を介して撮像素子３０に入射される。
【００３１】
カメラボディＣＢの上部又は背面には、図示は省略するが、撮影者が指示内容を手動入力するための各種の押しボタン、ダイヤル、十字キー等の操作部及び撮影モード等を含む各種の設定内容を表示するための情報表示パネル（画像表示モニタ３７とは別の小型液晶パネル）等が配置されている。操作部には、電源をオン／オフする電源ダイヤル、半押しスイッチ及び全押しスイッチを有するレリーズボタン、撮影動作モードボタン、コマンドダイヤル等が設けられている。
【００３２】
図７は上述のレンズ交換式一眼レフカメラの制御系の概略構成を示すブロック図である。同図において、１０１はマイクロコンピュータ等によって構成される制御装置であり、後述する各ブロックから出力される信号の入力を受けて所定の演算を行い、演算結果に基づいて制御信号を各ブロックへ出力する。
【００３３】
ＳＷ１は上述した電源ダイヤルの回転位置に連動してオン／オフする電源スイッチであり、該電源ダイヤルをオン位置にセット（オン操作）するとオンとなり、該電源ダイヤルをオフ位置にセット（オフ操作）するとオフとなる。ＳＷ２は上述したレリーズボタンを半押し位置まで押下することによりオンし、その後の該レリーズボタンのさらなる押し込みでもオンを保持し、該レリーズボタンの半押し位置から押し込みを解除するとオフする半押しスイッチである。ＳＷ３は上述したレリーズボタンを全押し位置まで押下することによりオンし、該レリーズボタンの全押し位置から押し込みを解除するとオフする全押しスイッチである。
【００３４】
ＣＣＤ等からなる撮像素子３０ａは、被写体光を受光して画像信号（蓄積電荷としてのアナログ信号）を出力する。撮像素子３０ａからの画像信号は、Ａ／Ｄ変換回路１０３に供給され、ゲイン調整などの処理が行われた後に、デジタル信号に変換され、画像処理回路１０５に送られる。タイミング回路１０４は、撮像素子３０ａを駆動するタイミング信号及びＡ／Ｄ変換回路１０３を駆動するタイミング信号を出力する。画像処理回路１０５は、Ａ／Ｄ変換回路１０３から出力されるデジタル信号の原画像データを後述のバッファメモリ１０６へ出力する。また原画像データを画像処理した後に、所定の形式で圧縮する圧縮処理、圧縮されたデータを伸長する伸長処理等を行う。さらに圧縮処理後の画像データを後述の記録媒体１０７へ出力する。
【００３５】
バッファメモリ１０６は、原画像データや圧縮処理後の圧縮画像データを一時的に格納するためのメモリであり、ＳＲＡＭ、ＶＲＡＭ、ＳＤＲＡＭ等により構成される。記録媒体１０７はフラッシュメモリ等から構成されるメモリカード等であって、圧縮処理後の画像データ（静止画、動画）を記録するものであり、カメラに対して着脱可能に構成されている。
【００３６】
表示駆動回路１０８は、入力された画像信号（スルー画像や、記録媒体１０７に記録された画像の再生画像など）を画像表示モニタ３７に出力して、画像を表示させるために画像表示モニタ３７を駆動する回路である。シャッタ駆動回路１１２は、メカニカルシャッタ３１の駆動を制御する。通信制御部１１６は、パーソナルコンピュータＰＣ等の外部モニタ装置に対して画像データの出力を行い、パーソナルコンピュータＰＣの表示部Ｄに表示する。操作部１１８には、上述の電源ダイヤル、レリーズボタン、撮影動作モードボタン、コマンドダイヤル等の他に、メニューボタン１１８ａ、選択キー１１８ｂが設けられている。
【００３７】
次に、上述の各実施形態に係るクリーニング装置２（２０〜２３）、レンズ交換式一眼レフカメラＣＭ、パーソナルコンピュータＰＣを備えるカメラシステムにおけるレンズ交換式一眼レフカメラＣＭの撮像部のクリーニング作業の説明を行なう。
【００３８】
図８のフローチャートに示すように、先ず、撮影レンズを取付けたデジタル一眼レフカメラＣＭにより、白い無地背景で試し撮りを行い、試し撮り画像データの記憶を行なう（ステップＳ１０）。即ち、撮像素子３０ａから出力される試し撮りによる画像信号がＡ／Ｄ変換回路１０３及び画像処理回路１０５を介して、参照画像としてバッファメモリ１０６に記憶される。
【００３９】
次に、制御装置１０１は、バッファメモリ１０６に記憶されている参照画像を読み出し、撮像部３０（光学ローパスフィルタ３０ｂの光入射面）に付着している異物の検知を行なう（ステップＳ１１）。ここで異物が存在しないと判断された場合には（ステップＳ１２）、このフローチャートで示される異物検知処理を終了する。一方、撮像部３０に異物が付着していると判断された場合には（ステップＳ１２）、異物を表すマークを作成し参照画像の異物を検知した位置に付加する（ステップＳ１３）。また、異物が存在する領域を表すマークを作成し参照画像の異物を検知した位置を含む領域に付加する（ステップＳ１４）。そしてこの参照画像をバッファメモリ１０６に記憶する（ステップＳ１５）。図９は、図８のフローチャートに示す異物検知処理後にバッファメモリ１０６に記憶されている参照画像を示す図である。この図に示すように、参照画像２００の異物を検知した位置に異物を示すマーク２０１が付加されており、異物を検知した位置を含む領域にその領域を示すマーク２０２が付加されている。
【００４０】
ユーザがデジタル一眼レフカメラＣＭの撮像部３０のクリーニングを行なう場合には、先ず、レンズマウントＬＭから撮影レンズを取り外し、図１０に示すように、デジタル一眼レフカメラＣＭの動作モードを、操作部１１８のメニューボタン１１８ａ及び選択キー１１８ｂを操作することによりクリーニングモードに設定する（第１の設定手段）（ステップＳ２０）。また、操作部１１８のメニューボタン１１８ａ及び選択キー１１８ｂを操作することによりクリーニング作業に用いるクリーニング装置の種類（照明装置８の有無や照明装置8の明るさなど）を設定する（第２の設定手段）（ステップＳ２１）。これによりカメラＣＭは、クリーニング装置の種類に応じた撮像条件（露出値、電荷蓄積時間等）の設定を行なう（第３の設定手段）（ステップＳ２２）。例えば、照明装置8が設けられていないクリーニング装置を使用する場合には、暗いために撮像素子（撮像部）における電子シャッタ秒時を照明装置8を備えたクリーニング装置を使用する場合に比して遅くなるように設定する。
【００４１】
次に、レリーズボタンの全押し動作の有無の判断を行い（ステップＳ２３）、レリーズボタンが全押しされた場合には、クイックリターンミラーＲＭをミラーアップ位置に切り換えてこの位置を維持すると共に、メカニカルシャッタ３１を開いた状態に維持し、撮像部３０の撮像面を開放状態とする（ステップＳ２４）。そして撮像素子３０ａにより、ステップＳ２２により設定した撮像条件による撮像を開始する（ステップＳ２５）。
【００４２】
次に、バッファメモリ１０６から参照画像２００を読み出し（ステップＳ２６）、参照画像２００と、撮像素子３０ａで所定のサンプリング間隔毎に撮像される画像、即ちスルー画像とを重ね合わせた画像を生成し、この生成した画像を通信制御部１１６を介してパーソナルコンピュータＰＣに対して出力する（ステップＳ２７）。従って、図１１に示すように、パーソナルコンピュータＰＣの表示部Ｄ上に、異物の位置を示すマーク２０１及び異物の存在する領域を示すマーク２０２を有するスルー画像がリアルタイムに表示される。
【００４３】
従って、ユーザは、パーソナルコンピュータＰＣの表示部Ｄ上に表示されたスルー画像を見ながら、上述の各実施形態に係るクリーニング装置２，２０〜２３を用いてデジタル一眼レフカメラＣＭの撮像部３０のクリーニングを行なう。図１１は、第１の実施の形態に係るクリーニング装置２を用いてデジタル一眼レフカメラＣＭの撮像部３０のクリーニングを行なっている状態を示している。この図に示すように、クリーニング作業中においては、クリーニング装置のクリーニング部材、支持部及び照明装置も表示される。この第１の実施形態に係るクリーニング装置２によれば、クリーニング部材４の近傍に照明装置８が設けられているため、デジタル一眼レフカメラＣＭの内部、例えば撮像部３０に付着した異物を除去する際に、クリーニング作業を行なっているカメラ内を照明することができる。したがって、クリーニング作業中に撮像部から出力される撮像信号を、パーソナルコンピュータＰＣに対して出力し表示部Ｄに表示する場合に、クリーニング装置２を明るく表示することができるため、クリーニングを行なっている部分をユーザが容易に把握しつつクリーニング作業を行なうことができる。なお、この場合にデジタル一眼レフカメラＣＭは、クリーニング装置の種類、例えば照明装置の有無、照明装置の明るさ等に応じた撮像条件で撮像を行なうため良好なスルー画像を得ることができる。
【００４４】
また、照明装置８がそれぞれ異なる波長の光を放射するＬＥＤにより構成されていることから、クリーニング作業中のクリーニング装置の位置をパーソナルコンピュータＰＣの表示部Ｄに表示する際に、クリーニング装置の向きを容易に把握しつつクリーニング作業を行なうことができる。ユーザは、このようにして撮像部のクリーニング作業を行なった後に、再度白い無地背景で試し撮りを行いクリーニングの状態の判断を行ない、異物の除去が完全でない場合には、再度デジタル一眼レフカメラＣＭ内部のクリーニング作業を行なう。
【００４５】
また、上述の第２、第３の実施形態に係るクリーニング装置２０〜２３によりデジタル一眼レフカメラＣＭの内部に付着した異物を除去する際においても、クリーニング装置の支持部に方向識別形状が設けられているため、クリーニング作業中のクリーニング装置の位置をパーソナルコンピュータＰＣの表示部Ｄに表示する際に、クリーニング装置の向きを容易に把握できるように表示することができる。従って、クリーニング装置の位置及びその方向を容易に把握しつつクリーニング作業を行なうことができる。
【００４６】
なお、上述の実施形態においては、操作部１１８のメニューボタン１１８ａ及び選択キー１１８ｂを操作することによりクリーニング作業に用いるクリーニング装置の種類を設定しているが、カメラのレンズマウントＬＭの近傍にバーコードリーダを設け、クリーニング装置の支持部の側面或いはクリーニング装置の保持部の支持部近傍にクリーニング装置の種類を示すバーコードを設けるようにしても良い。この場合には、図１２のフローチャートに示すように、クリーニング装置の先端部（支持部）をカメラ内に挿入する際に、レンズマウントＬＭの近傍に設けられたバーコードリーダによりクリーニング装置に設けられたバーコードを読み取り（ステップＳ３０）、クリーニング装置の種類を設定し（ステップＳ３１）、クリーニング装置の種類に応じた撮像条件（露出値、電荷蓄積時間等）の設定を行なう（ステップＳ３２）。なお、バーコードリーダに代えてカメラＣＭにＩＣタグの読取装置を設け、クリーニング装置にクルーニング装置の種類を記憶したＩＣタグを設けても良い。
【００４７】
また、上述の実施の形態においては、クリーニング作業中のスルー画像に、異物を示すマーク及び異物の存在領域を示すマークを付加した参照画像を重ね合わせた画像をパーソナルコンピュータＰＣの表示部Ｄに表示しているが、撮像部に付着している異物が大きい場合には、クリーニング作業中のスルー画像をパーソナルコンピュータＰＣの表示部Ｄに表示すれば、クリーニング装置の位置及び方向を容易に把握しつつ、撮像部のクリーニングを行うことができる。
【図面の簡単な説明】
【００４８】
【図１】第１の実施形態に係るクリーニング装置の側面図及びクリーニング部材側から視た図である。
【図２】第２の実施形態に係るクリーニング装置のクリーニング部材側から視た図である。
【図３】第２の実施形態に係るクリーニング装置の変形例のクリーニング部材側から視た図である。
【図４】第３の実施形態に係るクリーニング装置のクリーニング部材側から視た図である。
【図５】第３の実施形態に係るクリーニング装置の変形例のクリーニング部材側から視た図である。
【図６】実施の形態に係るレンズ交換式一眼レフカメラの概略構成を模式的に示す断面図である。
【図７】実施の形態に係るレンズ交換式一眼レフカメラの制御系の概略構成を示すブロック図である。
【図８】実施の形態に係る参照画像の生成を説明するフローチャートである。
【図９】実施の形態に係る参照画像を示す図である。
【図１０】実施の形態に係るカメラのクリーニング作業中のカメラの動作を説明するフローチャートである。
【図１１】実施の形態に係るカメラのクリーニング作業中のパーソナルコンピュータの表示部の表示状態を示す図である。
【図１２】実施の形態に係るクリーニング装置の種類の設定動作を説明するためのフローチャートである。
【符号の説明】
【００４９】
２，２０〜２３…クリーニング装置、４…クリーニング部材、６…支持部、８…照明装置、１０…保持部、６ａ，６ｂ，６ｃ，６ｄ…方向識別形状、３０…撮像部、３０ａ…撮像素子、３０ｂ…光学ローパスフィルタ、３１…メカニカルシャッタ、３２…フォーカシングスクリーン、３３…ペンタプリズム、３７…表示モニタ、ＣＭ…レンズ交換式一眼レフカメラ、ＲＭ…クイックリターンミラー、ＬＭ…レンズマウント、ＰＣ…パーソナルコンピュータ、Ｄ…表示部
【図１】
2008301324.tif 000003
【図２】
2008301324.tif 000004
【図３】
2008301324.tif 000005
【図４】
2008301324.tif 000006
【図５】
2008301324.tif 000007
【図６】
2008301324.tif 000008
【図７】
2008301324.tif 000009
【図８】
2008301324.tif 000010
【図９】
2008301324.tif 000011
【図１０】
2008301324.tif 000012
【図１１】
2008301324.tif 000013
【図１２】
2008301324.tif 000014